(57)【特許請求の範囲】
【請求項１】
粉体状の調味料を収納する箱型の容器本体と、容器本体の開口部を閉蓋する蓋体とからなり、一定量の容積を備えた掬い部と柄部からなるスプーンが容器本体にセットされた調味料収納容器において、容器本体の開口部の半分より一側部に寄った位置で対向する両側壁に亘ってすり切り部を横架すると共に、このすり切り部から空間を置いて対向するフランジ部を容器本体の前記一側部に配し、スプーンの掬い部の先端に、前記フランジ部に係合する係止部を一体形成し、スプーンをその掬い部を伏せて前記係止部をフランジ部に係合すると共に、その中間部をすり切り部上に載置することによって、前記すり切り部での載置箇所を支点として、掬い部の先端が上方へ回動するのを前記フランジ部で規制されて、スプーンがほぼ水平になる状態ですり切り部上に保持されることを特徴とする調味料収納容器。
【請求項２】
すり切り部とフランジ部を一体に備えたすり切り板を、容器本体の開口部に着脱自在に組付けた請求項１記載の調味料収納容器。
【請求項３】
すり切り部の下辺が、ほぼ直線状の標準すり切り量を計量する部分と、下方への突起を有し、標準すり切り量より少量の計量が可能な部分とからなる請求項１または２記載の調味料収納容器。
【発明の詳細な説明】
【０００１】
【発明の属する技術分野】
本発明は、容器本体と蓋体とからなる調味料収納容器に関し、殊に、砂糖、塩、小麦粉等の粉体状の調味料を収納し、調味料をスプーンで計量して使用するものに関する。
【０００２】
【従来の技術】
この種の調味料収納容器は、粉体状の調味料を収納する箱型の容器本体と、容器本体の開口部を閉蓋する蓋体とからなり、調味料を掬うスプーンが容器本体にセットされている。
【０００３】
前記容器本体にセットされているスプーンには計量機能がない場合が多く、粉体状の調味料を計量して使用したい場合、従来では、前記スプーンとは別に一般の計量スプーンを用いていた。しかし、使用の度に計量スプーンを準備し、使用後は、洗浄して保管する必要があるので使い勝手が悪かった。そこで、計量可能なスプーンを容器本体内に収納することが行われている。
【０００４】
【発明が解決しようとする課題】
ところが、スプーンを容器本体内に収納する調味料収納容器は全般的に、スプーンが粉体状の調味料の中に埋まってしまい、取り出すのが面倒であると共に、スプーンの柄部に付着した調味料に直接手指が触れるために不衛生であるという問題がある。その問題を解消するためには、容器本体の外側に凹部を設けたり、蓋体裏面にポケット等を設けて、調味料に接触しない部分にスプーンを収納することが考えられる。
【０００５】
しかし、上記のような構成では容器本体や蓋体が汚れる等の問題がある。その上、スプーンの掬い部で調味料を掬うだけでは計量が不十分であるので、確実に計量を行いたい場合には、別にすり切り棒を用いる等して、掬い部上に盛り上がった調味料の余分量をすり切り落とす必要があり、依然として使用上、不便な問題が残る。
【０００６】
そこで本発明は、上記各種の問題点を一挙に解決し、容器本体へのスプーンの収納とスプーンでの調味料の計量とを簡単に行うことのできる、衛生的で使用に便利な調味料収納容器を提供することを目的とする。
【０００７】
【課題を解決するための手段】
本発明は上記目的を達成するため、粉体状の調味料を収納する箱型の容器本体と、容器本体の開口部を閉蓋する蓋体とからなり、一定量の容積を備えた掬い部と柄部からなるスプーンが容器本体にセットされた調味料収納容器において、容器本体の開口部の半分より一側部に寄った位置で対向する両側壁に亘ってすり切り部を横架すると共に、このすり切り部から空間を置いて対向するフランジ部を容器本体の前記一側部に配し、スプーンの掬い部の先端に、前記フランジ部に係合する係止部を一体形成し、スプーンをその掬い部を伏せて前記係止部をフランジ部に係合すると共に、その中間部をすり切り部上に載置することによって、前記すり切り部での載置箇所を支点として、掬い部の先端が上方へ回動するのを前記フランジ部で規制されて、スプーンがほぼ水平になる状態ですり切り部上に保持されることを特徴とする。
【０００８】
本発明の調味料収納容器において、容器本体に収納された粉体状の調味料をスプーンで計量して使用する場合、スプーンの掬い部で調味料を掬い取った後、調味料を盛り上げたまま、先端を容器本体の一側部に配されたフランジ部へ向けて、掬い部の中間部をすり切り部の下辺に当接させた状態で、柄部をやや斜め上方に移動させていく。すると、すり切り部の下辺と掬い部の口縁がすれ合うことで掬い部上に盛り上がっていた余分な調味料がすり切り落とされ、スプーンの先端がすり切り部から離れるときには、掬い部内にその容積分の調味料が残り、標準すり切り部量を計量できる。そして必要量や掬い部の容積（大さじ、小さじの量）に応じて、同じ作業を繰り返す。使用後は、空になったスプーンの掬い部を伏せ、その先端に設けられた係止部をすり切り部からの空間を利用してフランジ部に係合させるとと共に、そのスプーンの中間部をすり切り部上に載置することによって、前記すり切り部での載置箇所を支点にして、掬い部が上方へ回動するのが規制され、スプーンはすり切り部上に確実に保持される。
【０００９】
その後、容器本体開口部が蓋体によって閉蓋された際には、蓋体裏面と調味料の上部に形成される容器本体の空間にスプーンを水平に安定して収納することができ、従来のように、スプーンが調味料内に埋もれてしまうことが解消され、衛生的に使用できると共に、使い勝手も良くなる。その上、すり切り部は前記スプーンの保持と共に本来のすき切り機能を果たすので、別なすり切り棒を用いることなく、簡単に調味料の計量を行うことができる。
【００１０】
また本発明において、すり切り部とフランジ部を一体に備えたすり切り板を、容器本体の開口部に着脱自在に組付けると好適であり、収納する粉体状の調味料の種類によって、計量が必要でなかったり、使用者がスプーンの保持を特に必要としない場合には、すり切り板を外して通常の調味料収納容器として使い分けすることが可能になり、使用上の選択の幅が広がる。
【００１１】
更に本発明において、すり切り部の下辺が、ほぼ直線状の標準すり切り量を計量する部分と、下方への突起を有し、標準すり切り量より少量の計量が可能な部分とからなるようにすり切り部を構成すると好適であり、ほぼ直線状の下辺ですり切ることによって、スプーンの掬い部の容積分の調味料つまり標準すり切り量が計量できる一方、突起の突縁ですり切ることによって、標準すり切り量よりも少量、例えば２分の１や３分の１といった定量の計量が可能になるので、すり切り部を有効利用して１つのスプーンで２種類以上の計量を使い分けることができる。
【００１２】
【発明の実施の形態】
以下、本発明の実施形態を図１〜図４を参照して説明する。
【００１３】
本実施形態の調味料収納容器は、砂糖、塩、小麦粉等の粉体状の調味料１を収納する把手１２の付いた箱型の透明なプラスチック製の容器本体２に、容器本体２の開口部２ａを閉蓋する蓋体３とからなり、一定量の容積を備えた掬い部４ａと柄部４ｂとからなるスプーン４がセットされている。容器本体２の側壁２ｃ( 図２）には把手１２が取付けられ、それに対向する側壁２ｄは曲面状に形成されている。蓋体３は、側壁２ｃの上端に設けられたヒンジ１３を介して９０°余り回動自在に容器本体２の一側部に枢支され、操作辺３ａ（図２）により開閉操作される。
【００１４】
容器本体２の開口部２ａの把手１２側には、後述するすり切り部５によるスプーン４の保持と調味料１の出し入れを考慮して、開口部２ａの開口面積の半分以下を占めるようにすり切り板８が配置されている。すり切り板８は、その下辺の一部を垂下させた突起５ａを有するすり切り部５と、このすり切り部５から空間９を置いて対向するフランジ部６とを備え、外周壁８ａを開口部２ａに設けられた段部２ａ1 に係止することによって容器本体２に上部に固定される。すり切り部５は、対向する側壁２ｂ、２ｂの上部に亘って横架され、フランジ部６は側壁２ｃの上部内周に突出するように設けられる。またすり切り部５は、ほぼ直線状の下辺１０ａを有する第１すり切り部１０と、突起５ａの突縁５ａ1 が円弧状の下辺を形成する第２すり切り部１１とで構成される。
【００１５】
上記すり切り板８はすり切り部５とフランジ部６を一体に備え、容器本体２の開口部２ａに着脱自在に組付けられるので、収納する調味料１の種類によって計量が必要でなかったり、使用者がスプーンの保持を特に必要としない場合には、すり切り板８を外して通常の調味料収納容器として使い分けすることが可能である。尚、フランジ部６をすり切り板８の一部として構成せずに容器本体２側に一体形成しても良く、その場合はすりきり部５を着脱自在なすり切り棒として構成すると好適である。
【００１６】
スプーン４は、水平な柄部４ｂとボウル状の掬い部４ａとからなる。掬い部４ａの口縁前方には、前記フランジ部６に係合する鍔状の係止部７が設けられている。このフランジ部６と係止部７が係合してスプーン４をすり切り部５上に保持可能な状態にできる限り、それらの形状は上記実施形態に示す形状に限定されない。
【００１７】
掬い部４ａは標準すり切り量、例えば大さじ１杯分の調味料を計量可能な容積を備えた形状に形成されている。このスプーン４を使用する場合、図４に示すように、すり切り部５のうち第１すり切り部１０の下辺１０ａで１回すり切ると、掬い部４ａの容積分の調味料つまり「おおさじ１杯分」が計量できる。一方、第２すり切り部１１の下辺をなす突起５ａの突縁５ａ1 ですり切ることによって、標準すり切り量の２分の１つまり「おおさじ半分」が計量できる。この突起５ａの大きさを小さくして３分の１の計量を行えるように構成すれば、丁度「小さじ１杯分」が計量でき、１つのスプーンで大さじと小さじの計量が可能になって使用に便利である。また突起５ａの数を増やして第２、第３のすり切り部を形成することによって、１つのすり切り部５を有効利用して複数種の計量を使い分けることもできる。
【００１８】
上記実施形態において、調味料１をスプーン４で計量して使用したい場合には、掬い部４ａで調味料１を掬い取った後、掬い部４ａに調味料１を盛り上げたまま、図３に矢印Ａで示すように、先端（係止部７）を容器本体２のフランジ部６へ向けて、掬い部４ａの中間部を第１すり切り部１０の下辺１０ａに当接させた状態で、柄部４ｂをやや斜め上方に移動させていく。すると、下辺１０ａと掬い部４ａの口縁がすれ合うことで掬い部４ａ上に盛り上がっていた余分な調味料１がすり切り落とされ、スプーン４の先端が矢印Ｂで示すようにしてすり切り部５から離れるときには、掬い部４ａ内に標準すり切り量つまり本実施形態では大さじ１杯分の計量（図４の左側）がなされた調味料１が残る。そして必要量や掬い部４ａの容積（例えば大さじ、小さじの量）に応じて、同じ作業を繰り返す。またすり切り量の２分の１の計量をしたい場合にも同様にして、図３に示す仮想線のように第２すり切り部１１の下辺（突縁５ａ1 ）に、調味料１を掬ったスプーン４を当接させて前記のように移動させ、その下辺で２分の１の量をすり切り落とす作業を行うと、掬い部４ａ内に大さじ半分の計量（図４の右側）がなされた調味料１が残る。
【００１９】
使用後は、図２に示すように空になったスプーン４の掬い部４ａを伏せ、その先端に設けられた係止部７を、すり切り部５からの空間９を利用してフランジ部６に係合させると共に、スプーン４の中間部をすり切り部５上に載置することによって、スプーン４は、すり切り部５での載置箇所を支点にして掬い部４ａが上方へ回動するのが規制され、すり切り部５上に確実に保持される。
【００２０】
その後、図２に仮想線で示すように、容器本体２の開口部２ａが蓋体３によって閉蓋された際には、蓋体裏面３ｂと調味料１の上部に形成される容器本体２の空間１４に、すり切り部５とフランジ部６と係止部７とがほぼ水平になる状態で、スプーン４を水平に安定して収納することができ、従来のように、スプーン４が調味料１内に埋もれてしまうことが解消され、衛生的に使用できると共に、使い勝手も良くなる。その上、すり切り部５は前記のようなスプーン４の保持と共に本来のすき切り機能を果たすので、別なすり切り棒を用いることなく、簡単に調味料の計量を行うことができる。
【００２１】
本発明は上記の実施形態に示すほか、種々の態様に構成することができる。例えば、すり切り部に突起を設けずに、標準すり切り量だけを計量できるように下辺を全て直線状に形成することもできる。
【００２２】
【発明の効果】
本発明によれば、すり切り部の下辺でスプーンの掬い部で掬った調味料のすり切りを行うことによって、一定量の計量を、別な計量スプーンないしすり切り棒を用いることなく簡単に行うことができると共に、使用後は掬い部の係止部とフランジ部とを係合し、すり切り部上にスプーンを保持することによって、蓋体と調味料との空間内に水平にスプーンを収納することができるので衛生的で便利に使用することができる。
【図面の簡単な説明】
【図１】本発明の一実施形態の調味料収納容器を示す斜視図。
【図２】同実施形態において、スプーンを保持した状態を示す側面図。
【図３】同実施形態において、使用状態の要部を示す斜視図。
【図４】同実施形態において、スプーンでの計量状態を示す断面図。
【符号の説明】
１  調味料
２  容器本体
２ａ  開口部
２ｂ  側壁
３  蓋体
４  スプーン
４ａ  掬い部
４ｂ  柄部
５  すり切り部
５ａ  突起
５ｂ  突縁（すり切り部の下辺）
６  フランジ部
７  係止部
８  すり切り板
９  空間
１０  第１すり切り部
１１  第２すり切り部
１０ａ  すり切り部の下辺
【図１】
0004226727.tif 000002
【図２】
0004226727.tif 000003
【図３】
0004226727.tif 000004
【図４】
0004226727.tif 000005